(57)【特許請求の範囲】
【請求項１】
転写媒体を塗布した基材を送り出して、該転写媒体を被転写体に転写するための転写部を備えた転写具であって、使用時に被転写体に押しつける前記転写部の先端部を、被転写体からの応力によって該先端部の幅方向全域が一体的に、該被転写体の形状に倣って弾性変形する構成とし、さらに、転写部の先端部の硬度を幅方向中央部から幅方向両端部に向けて段階的に高くなる構成としたことを特徴とする転写具。
【請求項２】
転写媒体を塗布した基材を送り出して、該転写媒体を被転写体に転写するための転写部を備えた転写具であって、使用時に被転写体に押しつける前記転写部の先端部を、被転写体からの応力によって該先端部の幅方向全域が一体的に、該被転写体の形状に倣って弾性変形する構成とし、さらに、使用時に被転写体に押しつける転写部の先端部とは反対側に、前記転写部に向かって接近離間可能な変形禁止部材を設けた構成としたことを特徴とする転写具。
【請求項３】
転写部の先端部に、幅方向と直交する方向に切欠部を複数形成すると共に、前記切欠部を形成した箇所とそうでない箇所とが連続していることを特徴とする請求項１又は２に記載の転写具。
【請求項４】
転写部を複数有し、これら転写部の先端部を互いに所定角度で離間して配置すると共に、これら転写部に接続されたそれぞれの腕部を集合させ、これら腕部の集合箇所に筐体に枢支する軸を挿通したことを特徴とする請求項１〜３のいずれかに記載の転写具。
【発明の詳細な説明】
【技術分野】
【０００１】
本発明は、曲面状の被転写体に転写媒体を均一に転写可能な転写具に関する。
【背景技術】
【０００２】
粘着性を呈した転写媒体、白色の転写媒体、を紙などの被転写体に転写する転写具は、転写媒体が塗布された長尺帯状の基材を送り出す送出部、被転写体に転写媒体を転写した後の基材を巻き取る巻取部、及び転写媒体が塗布された基材を送出部から送り出し、被転写体に転写媒体を転写し、転写後の基材を巻取部へ送る転写部を備えている。
【０００３】
転写部は、大別すると、略板状とされた舌状タイプのものと、基材の送出と共に回転するローラタイプのものとがあり、舌状タイプ、ローラタイプ、いずれにおいても基材の搬送面に対して直交する方向には弾性変形しない構成とされていた。
【０００４】
上記構成とされた転写部は、曲面の被転写体、例えば転写部の先端部における基材の幅方向（以下、単に幅方向と言う）の中央部が隆起した形状の被転写体に、転写媒体を転写するような場合、基材の幅方向中央部は転写できるが、その両端部は転写されずに浮き上がってしまうという不具合がある。
【０００５】
そこで、以下の特許文献１では、転写部の幅方向に基材の搬送方向に切れ込みを形成して舌状タイプの転写部の先端が櫛歯状とされ、この櫛歯が個々に独立して弾性変形する構成が開示されている。
【特許文献１】特開２００５−５９２４１
【発明の開示】
【発明が解決しようとする課題】
【０００６】
しかしながら、上記特許文献１に開示された転写部の構造は、個々の櫛歯が独立して弾性変形する構成であったために、次の問題が生じていた。すなわち、曲面状の被転写体に転写媒体を転写させた際、個々の櫛歯における先端によって、基材を介した転写媒体に疵を付けてしまい、特に白色の（修正用の）転写媒体は、転写後の状態がひび割れて醜いものとなってしまうという問題がある。
【０００７】
また、特許文献１は、櫛歯間に異物が挟まってしまうと、定常的に一部の櫛歯が弾性変形したままとなり、これに起因して、平面状の被転写体に転写媒体を転写させる際であっても、幅方向の全域を均一に転写させることができないという問題がある。
【０００８】
本発明が解決しようとする問題点は、特許文献１における櫛歯状の転写部構造では、櫛歯が独立して個々に弾性変形することに起因して、転写後の転写媒体をひび割れさせてしまう点、また、平面状の被転写体に均一に転写媒体を転写させることができなくなる可能性がある点、を解消することにある。
【課題を解決するための手段】
【０００９】
上記問題点を解決すべく本発明の転写具は、使用時に被転写体に押しつける転写部の先端部を、被転写体からの応力によって該先端部の幅方向全域が一体的に、該被転写体の形状に倣って弾性変形する構成とし、さらに以下のようにしたことを最大の特徴とした。
【００１０】
すなわち、本発明の転写具の特徴は、上記構成に、さらに、転写部の先端部の硬度を幅方向中央部から幅方向両端部に向けて段階的に高くなる構成、又は、転写部の使用時に被転写体に押しつける側とは反対側に、転写部に向かって接近離間可能な変形禁止部材を設けた構成、を具備する点である。
【００１１】
さらに、本発明の転写具は、上記において、転写部の先端部に、幅方向と直交する方向に切欠部を複数形成すると共に、前記切欠部を形成した箇所とそうでない箇所とが連続している構成としても、転写部を複数有し、これら転写部先端部を互いに所定角度で離間して配置すると共に、これら転写部の各々の基端部に接続されたそれぞれの腕部を集合させ、これら腕部の集合箇所に筐体に枢支する軸を挿通した構成としてもよい。
【発明の効果】
【００１２】
本発明の転写具は、転写部の先端部が、被転写体からの応力によって該先端部の幅方向全域が一体的に、該被転写体の形状に倣って弾性変形するので、曲面に均一に転写媒体を転写することができ、例えば白色の転写媒体を用いた場合にひび割れたりしない。
【００１３】
また、本発明の転写具は、転写部の先端部が一体的に変形するので、幅方向の一部が定常的に弾性変形したままになることがなく、したがって平坦な被転写体に転写媒体を転写するときにも確実に幅方向に均一に転写媒体を転写することができる。
【００１４】
さらに、本発明の転写具において、使用時に被転写体に押しつける転写部の先端部とは反対側に、転写部に向かって接近離間可能な変形禁止部材を設けた構成、あるいは転写部を複数有する構成であれば、転写部の変形具合を曲面転写時と平坦転写時に応じて適宜使い分けることができる。
【発明を実施するための最良の形態】
【００１５】
本発明は、以下の図１〜図１０の形態により実施可能である。なお、以下の説明において、転写具は、共通して次の構成を有するものとして図示及び説明を省略する。転写具は、部分的に図示する筐体Ｐ内に、転写媒体を塗布した基材を巻装した軸状の送出部と、後述する転写部１を経て、被転写体に転写媒体を転写した後の基材を巻き取る軸状の巻取部と、を備えている。そして、上記構成の転写具に用いる転写媒体は、修正用の白色のもの、又は被転写体と貼着体とを貼着する粘着性のもの、いずれを用いても構わない。
【００１６】
上記構成の転写具において、転写部１は、以下の説明においては、舌状タイプと、ローラタイプとを、適宜示す。ここで、舌状タイプとローラタイプの各々の転写部１についての構成を説明する。
【００１７】
ローラタイプは、筐体Ｐの先端部に軸１ａが枢支され、この軸１ａの外周に弾性変形可能な樹脂あるいはゴム等でなる転写材１ｂが設けられた構成である場合と、図示しないが、前記軸１ａと転写材１ｂとが同一素材で一体とされた、あるいは転写材１ｂが省略された構成である場合と、を包含する。そして、ローラタイプは、前記した前者の構成では軸１ａが被転写体の曲面に倣って弾性変形し、前記した後者の構成では全体が被転写体の曲面に倣って弾性変形する。
【００１８】
一方、舌状タイプは、幅方向中央で切断した断面が略三角形状、又は矩形状の舌片１ｃと、この舌片１ｃの幅方向両端に設けられ、基材の該舌片１ｃからの脱線を防止するなどの機能を有するガイド壁１ｄと、を有し、前記ガイド壁１ｄが筐体Ｐの先端部に設けられる。このガイド壁１ｄが筐体Ｐの先端部に設けられている点は、後の構成で重要な意味を持つ。
【００１９】
（第１形態）
図１〜図３には本発明の第１形態を示す。この第１形態では、以下の第２〜５形態の基本となる構成を示す。図１に示すローラタイプの転写部１は、軸１ａが、一般的な転写具に用いられている、つまり全く又はほとんど弾性変形しないものに較べて軟質である。また、転写材１ｂは、材料として、例えばナイロンチューブを採用しているので、軸１ａの弾性変形を妨げることはない。
【００２０】
図２に示す舌状タイプの転写部１は、舌片１ｃが、一般的な転写具に用いられている、つまり全く又はほとんど弾性変形しないものに較べて軟質である。
【００２１】
従来における軸１ａや舌片１ｃに相当する部材の材質は、ＰＯＭやＡＢＳが主として用いられており、これら材質は、転写具で用いられる場合の寸法と使用時の荷重では弾性変形することがない。
【００２２】
これに対して本発明は、例えば転写具で用いられる寸法と使用時の荷重に基づいて、例えば材質を変えたり、例えば弾性変形しない硬さとされた従来のものに対して少なくとも３０％以上軟らかく（硬度を低く）、つまり弾性変形が容易でかつ弾性復元も保証される硬さとした。なお、材質としては例えばポリエチレン、ポリプロピレンを用いればよい。
【００２３】
ちなみに、第１形態では、軸１ａ及び舌片１ｃの材質は低密度ポリエチレンとしている。この低密度ポリエチレンは、ショアーＤ硬度（ＡＳＴＭ  Ｄ１７０６）が４８である。また、転写材１ｂは上記したようにナイロンチューブを用いている。
【００２４】
図１に示すローラタイプ、図２に示す舌状タイプ、の転写部１は、曲面状の被転写体に対して転写媒体を転写する際に、転写時に転写部１を被転写体へ押しつけたときの該被転写体からの応力により、図３（ａ）（ｂ）に各々示すように、軸１ａ及び転写材１ｂが、舌片１ｃが、それぞれ曲面に倣って弾性変形する。
【００２５】
したがって、転写媒体は、幅方向において浮き上がったりすることなく、均一に転写される。また、本発明の転写部１は、軸１ａ（及び転写材１ｂ）や舌片１ｃが幅方向で一体的に変形し、上記特許文献１のように櫛歯の先端で該転写媒体に疵を付けてしまうことがないので、曲面の被転写体に転写媒体を転写したとき、転写媒体がひび割れたりするといったこともない。
【００２６】
ちなみに、図示しないが、平坦な被転写体に対して転写媒体を転写する際には、本発明の転写具における転写部１であれば、軸１ａ（及び転写材１ｂ）や舌片１ｃが幅方向で一体的に変形し、上記特許文献１のように櫛歯の一部が定常的に弾性変形したままになることもないので、確実に幅方向に均一に転写媒体を転写することができる。
【００２７】
ここで、特に図２に示した舌状タイプの転写部１におけるガイド壁１ｄと筐体Ｐとの関係について説明する。通常、一般的な転写具では、舌片１ｃにおける被転写体に押しつける側である先端とは反対側、つまり後端が筐体Ｐに設けられている。
【００２８】
要するに、一般的な転写具は、ガイド壁１ｄが筐体Ｐに設けられていないから、舌片１ｃの面に対して直交する方向には容易に撓む。この撓みは、転写具の操作時に、幅方向に不均一な力がかかったときに、転写媒体が幅方向の一方片側だけ転写され、他方片側が転写されないといういわゆる「片当たり」を防止する役割がある。
【００２９】
すなわち、上記撓みによる片当たりの防止機能は、操作時の不均一な押しつけ力を吸収できることに起因している。しかし、本発明で、そのような撓みが発生すると、舌片１ｃが弾性変形する構成とした効果が減じられてしまう。
【００３０】
したがって、本発明の特に舌状タイプの転写部１を有した転写具では、ガイド壁１ｄ、つまり舌片１ｃの幅方向両側を筐体Ｐに設けて、転写部１自体が舌片１ｃの面に対して直交する方向に容易に撓まないようにしているのである。ちなみにローラタイプの場合は、軸１ａが筐体Ｐに枢支されるから、ガイド壁１ｄが筐体Ｐに接続していることと同様の効果となる。
【００３１】
なお、本発明の転写具は、転写部１自体が舌片１ｃの面に対して直交する方向に撓まないからといって片当たりが生じることはない。なぜなら、片当たりは幅方向の力の不均一により生じるが、そのような力の不均一は、本発明の転写具における弾性変形する転写部１により吸収されるからである。
【００３２】
つまり、本発明の転写具は、曲面の被転写体に転写媒体を幅方向に均一に転写させることもできるし、平坦あるいは曲面の被転写体に転写媒体を転写させる際に、操作時の力の不均一が生じても片当たりが生じることなく、やはり幅方向に均一に転写媒体を転写させることができるのである。
【００３３】
（第１形態の変形例）
図４には、第１形態における、ローラタイプの転写部１の変形例を示す。変形例では、図１に示した軸１ａの先端形状を、三角錐にしている。これにより、転写部１が弾性変形した際に、軸１ａが偏芯しても回転が妨げられることがなくなり、基材の送り出しと巻き取りが円滑に行える。また、平坦な被転写体において蛇行状に転写媒体を転写しやすくなる。
【００３４】
（第２形態）
図５に示す第２形態は、第１形態の転写部１における、ローラタイプでは軸１ａ（図５（ａ））、舌状タイプでは舌片１ｃ（図５（ｂ））、のそれぞれ幅方向の中央部から両端に向けて段階的（例えば図示では２段階）に硬度を高くした構成である。
【００３５】
ちなみに、第２形態において、軸１ａ及び舌片１ｃの軟らかい部分では、低密度ポリエチレンを採用した。この低密度ポリエチレンは、ショアーＤ硬度（ＡＳＴＭ  Ｄ１７０６）が４８である。軸１ａ及び舌片１ｃの硬い部分では、ＰＯＭを採用した。このＰＯＭは、ロックウェルＲ硬度（ＡＳＴＭ  Ｄ７８５）が１２０である。なお、転写材１ｂは上記同様、ナイロンチューブを用いている。このようにすることで、上記第１形態における効果に較べて、さらに適切に弾性変形させることができるようになる。
【００３６】
（第３形態）
図６及び図７に示す第３形態は、第２形態の構成において、転写材１ｂ、舌片１ｃに、幅方向と直交する方向に切欠部１ｅを複数形成した構成である。このとき、転写材１ｂ、舌片１ｃは、切欠部１ｅ部分により分断されず、全体が一体で、つまり切欠部１ｅの箇所とそうでない箇所とが連続している。このようにすることで、特許文献１のように、櫛歯が独立していることに起因する不具合が生じることなく、容易に転写材１ｂ、舌片１ｃを弾性変形させやすくなる。
【００３７】
（第４形態）
図８及び図９に示す第４形態は、第１形態の構成において、転写部１において、使用時に被転写体に押しつける側とは反対側に、転写部１に向かって接近離間可能な変形禁止部材２を設けた構成である。この変形禁止部材２について、ローラタイプ、舌状タイプに分けて以下に説明する。
【００３８】
図８に示すローラタイプの場合、変形禁止部材２は、例えば軸状とされ、軸１ａ及び転写材１ｂに較べ、容易に弾性変形しない程度に硬質のものとされる。この変形禁止部材２は、転写材１ｂに対して接触離間するものであり、例えば小径軸２ａと大径軸２ｂとからなり、これらの硬さ（軟らかさ）の差は問わないが、上記したように軸１ａ（及び転写材１ｂ）の弾性変形を禁止する程度の硬さとする必要がある。
【００３９】
小径軸２ａは、筐体Ｐの先端部に形成したガイド孔Ｐａにより枢支される。本例では、ガイド孔Ｐａは、例えば開放側が上方とされたコ字状とされる。ガイド孔Ｐａの対向する垂直辺のうち、小径軸２ａが軸１ａ側に位置するときは、大径部２ｂが転写材１ｂに接触し、弾性変形を禁止する状態、小径軸２ａが軸１ａから離間した側に位置するときは大径部２ｂが転写材１ｂから離間し、弾性変形を許容する状態、となる。
【００４０】
なお、ガイド孔Ｐａを開放側が上方とされたコ字状としておけば、小径軸２ａを弾性変形を禁止する状態と許容する状態と使い分けられるように移動させた際、それら各々の位置からの該小径軸２ａ（変形禁止部材２）の移動を禁止することができる。
【００４１】
図９に示す舌状タイプの場合、変形禁止部材２は、例えば板状とされ、舌片１ｃに較べ、容易に弾性変形しない程度に硬質のものとされる。この変形禁止部材２は、舌片１ｃの上面と接触離間するものであり、板材２ｃと、この板材２ｃの幅方向と直交する方向の２箇所における該幅方向両側面に軸部２ｄを有している。
【００４２】
軸部２ｄは、ガイド壁１ｄにおける舌片１ｃの上面側に形成したガイド孔Ｐａにより枢支される。本例では、ガイド孔Ｐａは、例えば直線部の前方終端と、この前方終端と後方終端の途中箇所とに下方に向いた経路がそれぞれ形成され、これら下方経路の後に前記直線部と平行な直線状の経路がそれぞれ形成されている。そして、ガイド孔Ｐａの各々の直線状の経路の前方終端の直前、及び直線部の後方終端には、軸２ｄをロックすべく若干狭い部分が形成されている。
【００４３】
このようにガイド孔Ｐａを構成することで、軸部２ｄを弾性変形を禁止する状態と許容する状態と使い分けられるように移動させた際、それら各々の位置からの該軸部２ｄ（変形禁止部材２）の移動を禁止することができる。
【００４４】
つまり、軸２ｄが上記狭い部分を通過して直線状の経路の前方終端に位置しているときは、舌片１ｃの上面に板材２ｃが接触し、弾性変形を禁止する状態、後方の軸２ｄが上記狭い部分を通過してガイド孔Ｐａにおける直線部の後方終端に位置しているときは、舌片１ｃの上面から板材２ｃが離間し、弾性変形を許容する状態、となる。
【００４５】
このように、変形禁止部材２を設けた場合は、転写部１を特に弾性変形させたくないような場合には、確実に弾性変形を禁止することができ、操作者の任意の使い分けが可能となる。なお、転写材１ｂ、舌片１ｃに対する変形禁止部材２の接近離間の距離を段階的に変更できるように構成した場合は、弾性変形量の微妙な調整を行うことが可能となる。
【００４６】
（第５形態）
図１０に示す第５形態は、第２〜３形態の転写部１を複数有した構成である。すなわち、第５形態における転写具は、転写部１（後述）を複数有し、これら転写部１を互いに所定角度で離間して配置し、ローラタイプであれば軸１ａを枢支し、舌状タイプであればガイド壁１ｄに設けられた、腕部３をそれぞれの転写部１から１箇所に集合させ、腕部３の集合箇所に筐体Ｐに枢支する軸３ａを挿通している。第５形態の転写具は、軸３ａを中心として、意図する転写部１が使用位置となるように回転させて使用する。
【００４７】
例えば、複数の転写部１としては、図１０（ａ）に示すように硬さ（軟らかさ）の異なるローラタイプの転写部１，１、又は一方は弾性変形する転写部１、他方は弾性変形しない転写部１、図１０（ｂ）に示すように硬さ（軟らかさ）の異なる舌状タイプの転写部１，１、又は一方は弾性変形する転写部１、他方は弾性変形しない転写部１としてもよい。
【００４８】
また、例えば、複数の転写部１としては、図１０（ｃ）に示すようにローラタイプと舌状タイプの転写部１とし、かつ一方は弾性変形する転写部１、他方は弾性変形しない転写部１としてもよいし、図１０（ｄ）に示すように、３つの転写部１について、上記図１０（ａ）〜（ｃ）を適宜混合した状態としてもよい。
【００４９】
このとき、腕部３は、上記したように、ローラタイプであれば軸１ａを枢支し、舌状タイプであればガイド壁１ｄに設けられ、いずれにしても軸１ａ（転写材１ｂ）及び舌片１ｃの幅方向の両端部に位置しているので、該腕部３そのものが容易に撓むことがなく、転写部１が弾性変形しうる応力を腕部３が吸収しないから、したがって、（弾性変形する）転写部１は確実に、被転写体の面に倣って変形する。
【００５０】
なお、第４形態を第５形態に採用する場合は、例えばローラタイプの場合、上記した小径軸２ａを挿通するガイド孔Ｐａを対向する腕部３の面に形成すればよい。ちなみに、舌状タイプの場合は、ガイド壁１ｄにガイド孔Ｐａを形成しているので、腕部３が構成上の邪魔になることはない。
【図面の簡単な説明】
【００５１】
【図１】本発明の転写具の第１形態における転写部を示し、（ａ）はローラタイプの転写部の斜視図、（ｂ）は（ａ）のＡ−Ａ線断面図、である。
【図２】本発明の転写具の第１形態における転写部を示し、（ａ）は舌状タイプの転写部の斜視図、（ｂ）は（ａ）のＢ矢視図、である。
【図３】本発明の転写具の第１形態における転写部の使用状態を示し、（ａ）はローラタイプの転写部を、（ｂ）は舌状タイプの転写部を、各々示す。
【図４】本発明の転写具の第１形態におけるローラタイプの転写部の変形例を示し、（ａ）は斜視図、（ｂ）は（ａ）のＣ−Ｃ線断面図、である。
【図５】本発明の転写具の第２形態における転写部の部分を示し、（ａ）はローラタイプの転写部を、（ｂ）は舌状タイプの転写部を、各々示す。
【図６】本発明の転写具の第３形態における転写部を示し、（ａ）はローラタイプの転写部の斜視図、（ｂ）は（ａ）のＤ−Ｄ線断面図、である。
【図７】本発明の転写具の第３形態における転写部を示し、（ａ）は舌状タイプの転写部の斜視図、（ｂ）は（ａ）のＥ矢視図、である。
【図８】本発明の転写具の第４形態における転写部を示し、（ａ）はローラタイプの転写部周辺の斜視図、（ｂ）は転写部及び変形禁止部材の筐体への取付状況を示す図、である。
【図９】本発明の転写具の第４形態における転写部を示し、（ａ）は舌状タイプの転写部周辺の斜視図、（ｂ）は（ａ）のＦ矢視図、（ｃ）は（ａ）のＧ矢視図である。
【図１０】（ａ）〜（ｄ）は本発明の転写具の第５形態における転写部を示す図である。
【符号の説明】
【００５２】
１  転写部
１ａ  軸
１ｂ  転写材
１ｃ  舌片
１ｄ  ガイド壁
１ｅ  切欠部
２  変形禁止部材
３  腕部
３ａ  軸
Ｐ  筐体
Ｐａ  ガイド孔
【図１】
0004780458.tif 000002
【図２】
0004780458.tif 000003
【図３】
0004780458.tif 000004
【図４】
0004780458.tif 000005
【図５】
0004780458.tif 000006
【図６】
0004780458.tif 000007
【図７】
0004780458.tif 000008
【図８】
0004780458.tif 000009
【図９】
0004780458.tif 000010
【図１０】
0004780458.tif 000011